(57)【要約】【課題】防滑性を有すると同時に優れた意匠性を有する浴室用床材を提供する。【解決手段】排水の流路となる複数の溝１０と、溝１０に囲まれ形成される領域１５を底面として形成され、梨地模様３５、３６を有する複数の錐体２０と、を有する。溝１０は格子状に形成され、領域１５は、四角形である。梨地模様３５、３６は、不規則に並んだ凹凸を無数に有する模様であり、凸模様３２を有する第１の模様３５と、第１の模様３５よりも凸模様３２の面積が小さい第２の模様３６と、を有し、複数の錐体２０は、第１の模様３５と第２の模様３６とを互い違いに有する。【選択図】図２
0003217645.tif 000002
【実用新案登録請求の範囲】
【請求項１】
排水の流路となる複数の溝と、
前記溝に囲まれ形成される領域を底面として形成され、梨地模様を有する複数の錐体と、を有する浴室用床材。
【請求項２】
前記溝は格子状に形成され、
前記領域は、四角形である、請求項１記載の浴室用床材。
【請求項３】
前記梨地模様は、不規則に並んだ凹凸を無数に有する模様であり、凸模様を有する第１の模様と、前記第１の模様よりも前記凸模様の面積が小さい第２の模様と、を有し、
前記複数の錐体は、前記第１の模様と前記第２の模様とを互い違いに有する、請求項１または２記載の浴室用床材。
【請求項４】
前記錐体は、頂点を前記領域の略中心に有する、請求項１から３のいずれか一項記載の浴室用床材。
【請求項５】
前記底面は、Ｒ形状を有する角を有する、請求項１から４のいずれか一項記載の浴室用床材。
【考案の詳細な説明】
【技術分野】
【０００１】
本考案は、浴室用床材に関する。
【背景技術】
【０００２】
住宅などにおける浴室の洗い場には、水切れや滑りにくさを考慮した床材が設けられている。従来、床に溜まった水の水切れを考慮した、凸形状を有する床材が知られている。例えば、特許文献１には、目地で区画された区画部に、四角錐からなる凸状部を備えた浴室の洗い場防水パンが開示されている。
【先行技術文献】
【特許文献】
【０００３】
【特許文献１】特開２００６−１６８４３号公報
【考案の概要】
【考案が解決しようとする課題】
【０００４】
特許文献１に記載の防水パンは、区画部に凸状部を有することから、区画部に水の滞留が発生しにくいようになっている。しかし、滑りにくさや外観性の観点からは、改良の余地があった。
【０００５】
本考案はこのような事情を考慮してなされたもので、防滑性を有すると同時に優れた意匠性を有する浴室用床材を提供することを目的とする。
【課題を解決するための手段】
【０００６】
本考案に係る浴室用床材は、上述した課題を解決するために、排水の流路となる複数の溝と、前記溝に囲まれ形成される領域を底面として形成され、梨地模様を有する複数の錐体と、を有する。
【考案の効果】
【０００７】
本考案に係る浴室用床材においては、防滑性を有すると同時に優れた意匠性を有することができる。
【図面の簡単な説明】
【０００８】
【図１】本考案に係る浴室用床材の一実施形態を示す平面図。
【図２】図１の床材の一部を拡大した図。
【図３】図２のIII−III線に沿う端面図。
【考案を実施するための形態】
【０００９】
本考案に係る浴室用床材の実施形態を添付図面に基づいて説明する。
【００１０】
図１は、本考案に係る浴室用床材の一実施形態を示す平面図である。
図２は、図１の床材１の一部を拡大した図である。
図３は、図２のIII−III線に沿う端面図である。
【００１１】
本実施形態における浴室用床材は、例えば新築もしくはリフォーム時の住宅浴室における洗い場の床に設置される床材１である。床材１は、例えば浴室のリフォーム時に、浴槽が設置される防水パン、防水パン上の板材またはタイル面に貼り付けられて強固に固定されて使用される。床材１は、成形性、量産性を考慮し、例えば合成ゴムと熱可塑性樹脂を主材とする硬化ゴムシートである。床材１は、洗い場の排水口に向って傾斜を有しており、水滴が床材１から排水口へと流れるようになっている。
【００１２】
床材１は、複数の溝１０と、複数の四角錐２０と、を有している。
【００１３】
溝１０は、格子状、すなわち、図１における上下左右方向に一定間隔で配列されており、上下方向および左右方向に伸びた溝１０は、一定間隔で交差している。溝１０は、主に床材１上に存在する排水（水分）が、浴室の排水口へ流れる流路となる。このため、流路として機能するための好適な幅および深さ（例えば幅１．５ｍｍ、深さが０．５ｍｍ）を有することが好ましい。なお、幅が大きすぎると、四角錐２０が設けられる領域１５が狭くなり、防滑性を損ね、幅が小さすぎると、流路としての排水性が損なわれる恐れがある。また、深さが大きすぎると、水分が排水口まで流れることなく溝１０に残留する恐れがあり、深さが小さすぎると、流路としての排水性が損なわれる恐れがある。
【００１４】
溝１０の深さ方向の側壁１１は、床材１表面に対して直角に形成されていても、溝１０の開口端１２を広くする傾斜を有するよう形成されていてもよい。
【００１５】
上下および左右方向に隣接し、交差する４本の溝１０は、四角形の領域１５を形成する。溝１０は、この領域１５を例えば縦が約２０ｍｍ、横が約２０ｍｍの寸法で形成するよう、配列されている。
【００１６】
四角錐２０は、溝１０に囲まれ形成される領域１５を底面として形成されている。四角錐２０は、床材１の表面に対する略垂直方向に沿う高さを有しており、頂点２１を領域１５の略中心に有している。四角錐２０の高さは、例えば０．５〜１．０ｍｍである。
【００１７】
四角錐２０の底面（領域１５）は、Ｒ形状を有する角２３を四角形の四隅に有している。角２３がＲ形状を有することにより、溝１０に汚れが溜まりにくく、また掃除の際に汚れを落としやすいという効果がある。一方、Ｒ形状の曲率半径が大きすぎると、溝１０に残留水が残り、排水性が損なわれる恐れがある。
【００１８】
四角錐２０は、梨地模様３０を有している。梨地模様３０は、不規則に並んだ凹模様３１（図１および２においては黒色で表されている。）および凸模様３２（図１および２においては白色で表されている。）からなる凹凸を無数に有する模様である。梨地模様３０は、第１の模様３５と、第２の模様３６と、を有している。第２の模様３６は、第１の模様３５よりも凸模様３２の面積が小さい。第１の模様３５が設けられた四角錐２０は、凸模様３２の面積が大きいため、床材１上を歩くユーザーとの接触面積が大きくなる。このため、第２の模様３６が設けられた四角錐２０に比べて、第１の模様３５が設けられた四角錐２０のほうが、摩擦による防滑性が大きくなる。
【００１９】
複数の四角錐２０は、これら第１の模様３５および第２の模様３６を互い違いに有している。すなわち、床材１の左右方向において、第１の模様３５を有する四角錐２０と、第２の模様３６を有する四角錐２０とが、交互に並んで配置されている。また、床材１の上下方向において、第１の模様３５を有する四角錐２０と、第２の模様３６を有する四角錐２０とが、交互に並んで配置されている。この結果、左右上下方向に隣り合う四角錐２０同士は、異なる模様を有するようになっている。
【００２０】
第１の模様３５は、凸模様３２が約５０〜５５％程度、凹模様３１が４５〜５０％程度であることが好ましい。第２の模様３６は、凸模様３２が約７０〜７５％程度、凹模様３１が２５〜３０％程度であることが好ましい。
【００２１】
床材１は、溝１０、四角錐２０、および梨地模様３０に対応する形状を有する成形型で材料を加熱・加圧することにより製造することができる。
【００２２】
このような本実施形態における床材１は、梨地模様３０を有する四角錐２０を有しているため、水はけの良さ、および防滑性を有すると同時に高い意匠性を有することができる。
【００２３】
すなわち、溝１０と四角錐２０とを有することにより、床材１上に存在する水分は、領域１５内に留まることなく溝１０に流れ落ち、溝１０を伝い排水口へと導かれる。具体的には、領域１５内は傾斜面２５を有する四角錐２０が形成されているため、水滴は傾斜面２５を流れ落ち、領域１５に留まることがない。
【００２４】
また、四角錐２０には、梨地模様３０が形成されている。このため、床材１は、梨地模様３０を作用させることにより、防滑性を備えることができる。さらに、梨地模様３０は、四角錐２０の４つの傾斜面２５ａ、２５ｂ、２５ｃ、２５ｄ（図２参照）に亘って設けられている。このため、光の反射に応じて、一の四角錐２０において、梨地模様３０が傾斜面２５ごとに色調を変化させるという、外観上の効果がある。このため、床材１は、水はけの良さ、および防滑性を有すると同時に、高い意匠性を有することができる。
【００２５】
本考案のいくつかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。これら実施形態やその変形は、考案の範囲や要旨に含まれるとともに、実用新案登録請求の範囲に記載された考案とその均等の範囲に含まれる。
【００２６】
例えば、溝１０は、格子状である例を説明したが、溝１０に囲まれ形成される領域が三角形などの他の多角形であってもよい。この場合、床材は、領域の形状に応じた錐体を有することになる。例えば、領域が三角形である場合、床材１は、三角錐を有する。
【００２７】
床材１の素材は、樹脂、金属、ゴムなど、特に限定されない。
【符号の説明】
【００２８】
１  床材
１０  溝
１１  側壁
１２  開口端
１５  領域
２０  四角錐
２１  頂点
２３  角
２５、２５ａ、２５ｂ、２５ｃ、２５ｄ  傾斜面
３０  梨地模様
３１  凹模様
３２  凸模様
３５  第１の模様
３６  第２の模様
【図１】
0003217645.tif 000003
【図２】
0003217645.tif 000004
【図３】
0003217645.tif 000005